(57)【要約】【課題】自動改札機を無線式ＩＣカード専用とした場合に空く自動改札機本体の部位を有効に活用する。【解決手段】この自動改札装置は、入場ゲートに設置された無線ＩＣカード専用の自動改札装置であって、無線カード２と無線通信を行うアンテナ３を上面に設けた本体１と、アンテナ３による無線カード２との無線通信により無線カード２から読み出されたカードデータを基に通行可否の判定を行うＣＰＵ１０と、本体１内の中央部に設けられ、ＣＰＵ１０が通行可と判定した場合、人形７に御辞儀等の動作をさせる駆動機構１５と、音声案内を行うスピーカー６と、通行可を示す青色のランプを点灯させる表示器５とを備える。【選択図】図１
2005071251.tif 000002
【特許請求の範囲】
【請求項１】
入場ゲートに設置された無線ＩＣカード専用の自動改札装置において、
前記無線ＩＣカードと無線通信を行う無線通信手段と、
前記無線通信手段による前記無線ＩＣカードとの無線通信により前記無線ＩＣカードから読み出されたカードデータを基に通行可否の判定を行う判定手段と、
前記自動改札装置の筐体に設けられ、前記判定手段により通行可と判定された場合に、利用者に対して所定の動作を行うサービス手段と
を具備したことを特徴とする自動改札装置。
【請求項２】
請求項１記載の自動改札装置において、
前記サービス手段が、
遊園地のキャラクターの人形を駆動してお辞儀をさせる駆動機構であることを特徴とする自動改札装置。
【請求項３】
請求項１記載の自動改札装置において、
前記サービス手段が、
景品を排出する排出機構であることを特徴とする自動改札装置。
【請求項４】
請求項２，３いずれか記載の自動改札装置において、
前記サービス手段が、
前記自動改札装置の側面の開口を覆うように取り付けられた透明なカバーを介し筐体内部に配置されていることを特徴とする自動改札装置。
【発明の詳細な説明】
【技術分野】
【０００１】
本発明は、例えば遊園地の入場ゲートに設置される無線式ＩＣカード専用の自動改札装置に関する。
【背景技術】
【０００２】
近年、鉄道等の交通機関の改札口には、無線式の非接触ＩＣカード（無線カード）を定期券あるいは乗車券として利用できる自動改札機が導入されている。
【０００３】
従来の自動改札機の技術としては、自動改札機本体と無線カードとの間で無線通信によりデータの授受を行って自動改札を行う自動改札機において、定期券から送出されてくる処理終了信号を受信したときに、自動改札機本体のドアの開放を行う開始制御手段を備えることで、カード側の改札処理が終了しないまま、利用者が通過するのを防止するものがある（例えば特許文献１参照）。
【０００４】
この種の自動改札機は、今まで磁気記録方式のカード（以下磁気カードと称す）の変わりに無線カードを利用するもので、自動改札機の上面部に備えられているリーダライタ（無線アンテナ）に無線カードをかざすことでデータの送受信を行い通過の判定を行う。
このような自動改札機の場合、磁気カードと無線カードの併用が前提となっているため自動改札機には両方の機構が備えられているが、今後、無線カードの利用が進めば、無線対応専用のものも実用化される見通しである。
【０００５】
無線対応専用の自動改札機は、無線カードと磁気カードの併用のものとは異なり、磁気カードの対応を考慮せずに済むことから、自動改札機本体に磁気カードを処理する機構部が不要でありさらなる小型化が可能である。
【特許文献１】特開平７−０２１４２８号公報
【発明の開示】
【発明が解決しようとする課題】
【０００６】
しかしながら、自動改札機は人を一列に通行させる等のゲートとしての機能を併せ持つことから自動改札機本体の幅方向の小型化には制限がある。このように無線対応専用の自動改札機は、小型化可能なもののゲートとして機能の制約から、磁気カードを処理する機構部をなくした部分、つまり自動改札機本体内部には、空間が空くことになるが、この部分を有効に利用するすべが見つからないのが現状である。
【０００７】
本発明はこのような課題を解決するためになされたもので、無線式ＩＣカード専用とした場合に空く自動改札機本体の部位を有効に活用して利用者に対するサービスを向上することのできる自動改札装置を提供することを目的としている。
【課題を解決するための手段】
【０００８】
上記した課題を解決するために、本発明の自動改札装置は、入場ゲートに設置された無線ＩＣカード専用の自動改札装置において、前記無線ＩＣカードと無線通信を行う無線通信手段と、前記無線通信手段による前記無線ＩＣカードとの無線通信により前記無線ＩＣカードから読み出されたカードデータを基に通行可否の判定を行う判定手段と、前記自動改札装置の筐体に設けられ、前記判定手段により通行可と判定された場合に、利用者に対して所定の動作を行うサービス手段とを具備したことを特徴とする。
本発明では、自動改札装置で利用者の通過可否判定を含む一連処理が正常に行われた場合、自動改札機の筐体内に設けたサービス手段を制御して利用者に対し所定の動作、例えば入場を歓迎するサービス動作を行わせる。例えば遊園地などの入場ゲートに設置した自動改札機が、ゲートを通行する利用者が無線ＩＣカードをかざしたときに、カードデータが正常であり、利用者の通過を許可する場合、遊園地のマスコットの人形などに御辞儀の動作をさせて、「Ｏ×遊園地へようこそ」といった案内を音声で行うことで、特に子供の利用者がこの人形の動作・音声で愛着心を感じ、遊園地としては利用者に対してサービスを向上することができる。
なお、上記自動改札装置において、サービス手段は、遊園地のキャラクターの人形を駆動して御辞儀をさせる駆動機構、あるいは景品を排出する排出機構とすることで、利用者に喜ばれ、利用者に対するサービスを向上することができる。
また、サービス手段を、自動改札装置の側面の開口を覆うように取り付けられた透明なカバーを介して筐体内に配置することで、通行する利用者の妨げにもならず、利用者がキャラクターを見ながら通行できる。
【発明の効果】
【０００９】
以上説明したように本発明によれば、無線式ＩＣカード専用とした場合に空く自動改札機本体の部位を有効に活用して利用者に対するサービスを向上することができる。
【発明を実施するための最良の形態】
【００１０】
以下、本発明の実施の形態を図面を参照して詳細に説明する。
図１は本発明に係る一つの実施の形態の自動改札装置の構成を示す図、図２は図１の自動改札装置の制御系を示す図である。
この自動改札装置は、入場ゲートに少なくとも一つ設けられている。入場ゲートは、利用者が退場する際には、退場ゲートにもなるため、以降、入退場ゲートという。なお、遊園地によっては入場ゲートと退場ゲートが別々の場合もある。
図１に示すように、自動改札装置は、支柱９に支持された自動改札装置の筐体としての本体１と、この本体１の上部進入側に設けられたリーダライタ３（以下アンテナ３と称す）と、本体１の上部退出側に設けられた表示器５と、本体１の側面退出側に設けられたスピーカー６と、本体１の側面中央部に設けられた人形７と、本体１の内部に設けられた制御部８とから構成されている。本体１内部のスペースには、人形７を揺動させて人形に御辞儀をさせる駆動機構１５（図２参照）が内蔵されている。内部に人形７が配置されている本体１の側面には、開口が設けられており、この開口を塞ぐように透明樹脂カバー４が取り付けられている。利用者は、この透明樹脂カバー４を介して人形７が動くのを見ることができる。つまり、本体１は、磁気カードの処理機構を設けないことで空いたスペースをショーケースのように利用しており、本体１内で動く人形７が見えるようになっている。駆動機構１５は、モータ、ギア、カム機構等から構成されている。人形７は、遊園地のキャラクターである例えばパンダ等である。人形７および駆動機構は、利用者に対して所定の動作、例えば入場を歓迎するサービス動作を行うサービス手段の一つである。人形７は、揺動以外に回動、上下動、左右動、振子等の動かし方をさせてもよい。
アンテナ３は、無線式ＩＣカードとしての非接触ＩＣカード２（以下無線カード２と称す）が近接あるいは接触するなどして自身にかざされることで無線カード２との間でデータの送受信を行う。無線カード２とアンテナ３との無線通信エリアは、数１０ｃｍ程度である。
表示器５には、赤色のランプと青色のランプが設けられている。表示器５は、この入場ゲートを通行する利用者に対していずれかのランプを点灯させて通行可否の判定結果を示す。表示器５は、赤色のランプの点灯で通行できないことを示し、青色のランプの点灯で通行許可を示す。スピーカー６は、通行可否の判定結果の案内、入園に関する注意などを音声で行う。これらの通行可否の判定結果の案内、入園に関する注意などのメッセージデータは制御部８のＲＯＭ１１に登録されている。この他、本体１には、赤外線センサなどの人の通行位置を検知する検知器が設けられており、人が検知器の位置を通過するたびにそれが制御部８に通知される。
【００１１】
図２に示すように、制御部８は、ＣＰＵ１０、ＲＯＭ１１、ＲＡＭ１２、表示器５を駆動する表示ドライバー１４、スピーカーを駆動する音声ドライバー１３、人形７を駆動するドライバー１５、アンテナ３を駆動して無線カード２とのデータのやり取りを行う通信制御部１６を有している。ＲＯＭ１１には、ＣＰＵ１０によりＲＡＭ１２に読み出されて実行される制御プログラムが格納されている。ＲＡＭ１２は、ＣＰＵ１０がデータ処理を実行する際の作業領域となる。ＣＰＵ１０は、制御プログラムの処理を実行することで各部を制御する。通信制御部１６は、無線カード２に対してデータの読み取りおよび書き込みを行う。
【００１２】
無線カード２は、アンテナ２０、通信制御部２１、ＣＰＵ２２、メモリー２３、電源２４などを有している。アンテナ２０は、自動改札装置側のアンテナ３から発信されたポーリング電波を受信してデータ通信を行う。通信制御部２１は、アンテナ２０による無線通信を制御する。ＣＰＵ２２は、メモリー２３を作業領域としてデータ処理を行う。メモリー２３には、予め入退場に関するデータ、遊園地内でのアトラクション利用に関するデータなどが記憶されている。メモリー２３は、ＣＰＵ２２により処理されたデータを記憶する。またメモリー２３は、ＣＰＵ２２により処理されたデータを記憶する。電源２４は、カード各部に電源を供給する。なお、自動改札装置から受信される電波（電界）を電源とする場合もある。
【００１３】
以下、図３を参照してこの自動改札装置の動作を説明する。
この自動改札装置の場合、開園時間になると、自動改札装置に電源が供給される。すると、ＣＰＵ１０は、通信制御部１６を制御して無線通信動作を開始させる。通信制御部１６は、アンテナ３により所定範囲内の無線通信エリアに一定時間の間隔でポーリング信号を発信する（図３のＳ１０１）。
来園した利用者が入場券の販売窓口等で無線カード２を購入して、入退場ゲートに持ち込み、入退場ゲートに設置されたアンテナ３に無線カード２をかざすと、発信中のポーリング信号に無線カード２が反応して応答を返し（Ｓ１０２）、以降、アンテナ２０とアンテナ３との間でデータのやり取りが行われる。
つまり、アンテナ３から発信されたポーリング信号に対して、無線カード２のＣＰＵ２２は、メモリー２３からデータを読み出して返信信号を通信制御部２１およびアンテナ２０を通じてアンテナ３へ送信する。
より詳細には、本体１のアンテナ３からカードデータを要求すると、無線カード２のＣＰＵ２２は、メモリー２３からカードデータを読み出して通信制御部２１およびアンテナ２０を通じてアンテナ３へ送信する。
本体１では、アンテナ３でカードデータが受信されると（Ｓ１０３のＹｅｓ）、ＣＰＵ１０は、受信されたカードデータと予めＲＡＭ１２あるいはＲＯＭ１１に記憶されている入退場に関するデータとを比較してデータの整合性のチェックを行い、データ処理が正常に行われたか否かを判定する（Ｓ１０４）。
【００１４】
この判定処理の結果、データ処理が正常に行われた場合（Ｓ１０４のＹｅｓ）、ＣＰＵ１０は、その判定結果を通信制御部１６およびアンテナ３を通じて無線カード２へ送信する。
無線カード２では、通行許可の判定結果（通行許可データ）がアンテナ２０で受信されると、ＣＰＵ２２は、その通行許可データをメモリー２３に書き込む。
通行許可データがメモリー２３に正常に書き込まれて無線カード２における一連の処理が完了すると、ＣＰＵ２２は、通行許可データが正常に書き込まれ一連の処理が完了したことを示すデータ（正常完了データ）を通信制御部２１およびアンテナ２０を通じて本体１のアンテナ３へ送信し、通知する。
本体１では、正常完了データがアンテナ３に受信されると、ＣＰＵ１０は、データの書込み処理が正常に行われたものとして利用者の通過を許可し（Ｓ１０５のＹｅｓ）、駆動機構１５を制御して人形７に御辞儀等の動作をさせ（Ｓ１０６）、音声スピーカー６で音声案内を行い（Ｓ１０７）、表示器５を点灯させる（Ｓ１０８）。
【００１５】
つまり、ＣＰＵ１０は、自動改札装置の本体１に装備されている遊園地のマスコットの人形７を揺動させて利用者に対して御辞儀等をさせ、スピーカー６から音声で「○×遊園地へようこそ」等の案内を行い、通過許可を示す青色のランプを表示器５に点灯させる。利用者が通過したことが赤外線センサなどの検知器により検知されると、ＣＰＵ１０は、人形７の動作を停止させる（Ｓ１０９）。
また、上記Ｓ１０４の判定処理の結果、データ処理が正常に行われなかった場合（Ｓ１０４のＮｏ）、あるいは上記Ｓ１０５の判定処理の結果、利用者の通過を不可と判定した場合（Ｓ１０５のＮｏ）、ＣＰＵ１０は、通過不可能の理由のメッセージをスピーカー６から音声で発っして案内し（Ｓ１１０）、通過不可能を示す赤色のランプを表示器５に点灯させる（Ｓ１１１）。なお、この場合、判定結果は無線カード２には送信しない。
【００１６】
このようにこの実施形態の自動改札装置によれば、利用者によって無線カード２がかざされて利用者の通過可否判定を含む一連処理が正常に行われた場合、ＣＰＵ１０は、本体１に内蔵した駆動機構１５を制御して人形７に御辞儀等の動作をさせ、かつ本体側面に設けたスピーカー６で音声案内を行う。つまり、この遊園地の入場ゲートに設置した自動改札機が、このゲートを通行する利用者に対して、通過可の場合、遊園地のマスコットの人形７に御辞儀の動作をさせて、「Ｏ×遊園地へようこそ」といった案内を音声で行うので、特に子供の利用者がこの人形７の動作・音声で愛着心を感じ、遊園地としては利用者に対してサービスを向上することができる。
【００１７】
なお、本発明は上記実施形態に限定されるものではない。
上記実施形態では、利用者に対して入場を歓迎するサービスを行うサービス手段の一つとして、遊園地のキャラクターである例えばパンダ等の人形７にお辞儀をさせる駆動機構１５を本体１内のスペースに備えたが、この他、例えば本体１内のスペースに遊園地の宣伝用景品（おまけなど）を排出する景品排出機構を設け、ＣＰＵ１０が入園許可と判定した場合、景品排出機構からおまけを出して子供に受け取ってもらうようにしても良い。
また、上記実施形態では、入退場に関するメッセージをスピーカー６を用いて音声で報知したが、これ以外に、例えばランプを点灯させても良く、ＬＣＤ表示等を行っても良い。
【図面の簡単な説明】
【００１８】
【図１】自動改札装置の構成を示す図。
【図２】図１の自動改札装置の制御系を示す図。
【図３】自動改札装置の動作を示すフローチャート。
【符号の説明】
【００１９】
１…本体、２…無線カード、３…リーダライタ（アンテナ）、４…透明樹脂カバー、５…表示器、６…スピーカー、７…人形、８…制御部、９…支柱、１０…ＣＰＵ、１１…ＲＯＭ、１２…ＲＡＭ、１３…音声ドライバー、１４…表示ドライバー、１５…駆動機構、１６…通信制御部、２０…アンテナ、２１…通信制御部、２３…メモリー、２４…電源。
【図１】
2005071251.tif 000003
【図２】
2005071251.tif 000004
【図３】
2005071251.tif 000005